(57)【要約】 【課題】渇水時においても水量を確保可能であり、かつ、下水処理場における下水処理コストを低減可能な水処理設備を提供する。【解決手段】水処理設備は、浄水場設備、再生水設備及び制御装置を具備する。浄水場設備は、河川からの河川水、雨水、及び、排水を含む複数種類の水のうち、第１の取水指示に従った種類の水を取水し、前記取水した水を処理し、処理後の水を上水として前記上水ラインにより需要家へ送水する。再生水設備は、前記複数種類の水のうち、第２の取水指示に従った種類の水を取水し、前記取水した水を処理し、処理後の水を中水として中水ラインにより需要家へ送水する。制御装置は、渇水状況及び水処理コストを含む条件を参照し、前記浄水場設備に対して取水する水の種類を指示する前記第１の取水指示と、前記再生水設備に対して取水する水の種類を指示する前記第２の取水指示とを生成する。【選択図】図２
2014214550.tif 000002
【特許請求の範囲】
【請求項１】
河川からの河川水、雨水、及び、需要家による使用後の排水を含む複数種類の水のうち、第１の取水指示に従った種類の水を取水し、前記取水した水を処理し、処理後の水を上水として上水ラインにより需要家へ送水する浄水場設備と、
前記複数種類の水のうち、第２の取水指示に従った種類の水を取水し、前記取水した水を処理し、処理後の水を中水として中水ラインにより需要家へ送水する再生水設備と、
渇水状況及び水処理コストを含む条件を参照し、前記浄水場設備に対して取水する水の種類を指示する前記第１の取水指示と、前記再生水設備に対して取水する水の種類を指示する前記第２の取水指示とを生成する制御装置と
を具備する水処理設備。
【請求項２】
前記複数種類の水の水質及び水量を含む状態量を測定する第１のセンサと、
渇水状況、水処理コスト及び前記状態量を含む条件を参照し、前記浄水場設備に対して取水する水の種類を指示する前記第１の取水指示と、前記再生水設備に対して取水する水の種類を指示する前記第２の取水指示とを生成する制御装置と
を具備する請求項１記載の水処理設備。
【請求項３】
請求項２記載の水処理設備と、
前記需要家が存在する水供給エリアへ送水される前記上水の水量を測定する第２のセンサと、
前記水供給エリアへ送水される前記中水の水量を測定する第３のセンサと、
前記第２のセンサにより測定される水量から、前記水供給エリアにおける前記上水についての第１の水需要を取得し、前記第３のセンサにより測定される水量から、前記水供給エリアにおける前記中水についての第２の水需要を取得し、前記第１のセンサにより測定される状態量を取得し、前記状態量を参照し、前記第１及び第２の水需要を満たしつつ、前記浄水場設備及び前記再生水設備における水処理コストを低減させるように、前記水処理設備を制御する監視制御装置と
を具備する水処理システム。
【請求項４】
前記上水ラインから前記需要家へ供給される上水の使用量を計測し、計測した第１の使用量を前記監視制御装置へ送信する第１の計測装置と、
前記中水ラインから前記需要家へ供給される中水の使用量を計測し、計測した第２の使用量を前記監視制御装置へ送信する第２の計測装置と
を備え、
前記監視制御装置は、前記第１の使用量に基づき、前記第１の水需要を取得し、前記第２の使用量に基づき、前記第２の水需要を取得する請求項３記載の水処理システム。
【請求項５】
前記監視制御装置は、前記上水の水単価の変動についての第１の水単価情報と、前記中水の水単価の変動についての第２の水単価情報とを生成し、
前記需要家へ、前記監視制御装置から配信される前記第１及び第２の水単価情報を表示し、前記第１及び第２の水単価情報の表示に応じて前記需要家から入力される指示に従い、前記需要家が有する設備の運転を制御する管理端末を備える請求項４記載の水処理システム。
【請求項６】
前記管理端末は、前記第１及び第２の水単価情報の表示に応じて前記需要家から入力される指示に従い、前記上水又は前記中水を、前記需要家が有する設備へ供給する請求項５記載の水処理システム。
【請求項７】
前記監視制御装置は、前記上水の水単価の変動についての第１の水単価情報と、前記中水の水単価の変動についての第２の水単価情報とを生成し、
前記監視制御装置から配信される前記第１及び第２の水単価情報を受信し、前記受信した第１及び第２の水単価情報に基づき、前記需要家が有する設備を、前記設備により使用される前記上水又は前記中水の水単価が安い時間帯で動作させる管理端末を備える請求項４記載の水処理システム。
【請求項８】
前記管理端末は、前記第１及び第２の水単価情報に基づいて前記需要家が有する設備により使用される前記上水又は前記中水の使用料を低減させるように、前記設備へ、前記上水又は前記中水を供給する請求項７記載の水処理システム。
【請求項９】
前記管理端末は、前記需要家が有する設備からの排水の水質を推定し、前記推定結果に基づいて前記排水を前記水処理設備へ送水するか、下水処理場へ送水するかを選択する請求項５又は７に記載の水処理システム。
【請求項１０】
請求項２記載の水処理設備と、
雨量を計測するレーダ雨量計と、
雨水を貯留する複数の滞水池と、
前記雨量に基づき、前記複数の滞水池のいずれかに降雨開始から一定時間経過後の雨水を貯留させ、前記降雨開始から一定時間経過後の雨水を貯留する滞水池に、前記雨水を前記水処理設備へ放出させる監視制御装置と
を具備する水処理システム。
【請求項１１】
前記レーダ雨量計は、空気中の水分量を観測するフェーズドアレイ気象レーダを備える請求項１０記載の水処理システム。
【請求項１２】
前記雨量に基づき、前記複数の滞水池のいずれかに降雨開始から一定時間の雨水を貯留させ、前記降雨開始から一定時間の雨水を貯留する滞水池に、前記雨水を下水処理場へ放出させる監視制御装置と
を具備する請求項１０記載の水処理システム。
【請求項１３】
下水処理場の運転状況に基づき、前記下水処理場の処理負荷が高いと判断すると、前記複数の滞水池のいずれかに需要家による使用後の排水を貯留させ、前記下水処理場の処理負荷が低くなったと判断すると、前記需要家による使用後の排水を貯留する滞水池に、前記排水を前記下水処理場へ放出させる監視制御装置と
を具備する請求項１０記載の水処理システム。
【発明の詳細な説明】
【技術分野】
【０００１】
本発明の実施形態は、複数の水源から水を取水する水処理設備と、この水処理設備を、需要家による水の需要等に基づいて制御する水処理システムに関する。
【背景技術】
【０００２】
一般的に、水事業者は河川等の水源から水を取水し、取水した水を浄水場設備にて飲用水レベルになるように処理する。飲用水レベルに処理された水は、水道水として需要家へ供給される。需要家は、風呂、洗面所、台所、洗濯機及びトイレ等で水を使用し、使用した水を排水として排出する。排出された排水は、下水処理場にて一定の水質レベルまで処理された後、河川に放流される。
【０００３】
ところで、水源は有限であり、渇水時には十分な水量が確保できない場合もある。また、需要家が使用した水道水は、排水として排出され、全量を下水処理場で処理することから、下水処理コストが嵩むという問題がある。
【先行技術文献】
【特許文献】
【０００４】
【特許文献１】特開２０１０−２５６３３３号公報
【特許文献２】特開２０１３−２０９１号公報
【発明の概要】
【発明が解決しようとする課題】
【０００５】
以上のように、従来の取水方式では、渇水時において十分な水量が確保できない場合がある。また、従来においては、需要家により排出された排水の全量を下水処理場にて処理していたため、下水処理コストが嵩むという問題がある。
【０００６】
そこで、目的は、渇水時においても水量を確保可能であり、かつ、下水処理場における下水処理コストを低減可能な水処理設備及び水処理システムを提供することにある。
【課題を解決するための手段】
【０００７】
実施形態によれば、水処理設備は、浄水場設備、再生水設備及び制御装置を具備する。浄水場設備は、河川からの河川水、雨水、及び、需要家による使用後の排水を含む複数種類の水のうち、第１の取水指示に従った種類の水を取水し、前記取水した水を処理し、処理後の水を上水として上水ラインにより需要家へ送水する。再生水設備は、前記複数種類の水のうち、第２の取水指示に従った種類の水を取水し、前記取水した水を処理し、処理後の水を中水として中水ラインにより需要家へ送水する。制御装置は、渇水状況及び水処理コストを含む複数の条件を参照し、前記浄水場設備に対して取水する水の種類を指示する前記第１の取水指示と、前記再生水設備に対して取水する水の種類を指示する前記第２の取水指示とを生成する。
【図面の簡単な説明】
【０００８】
【図１】第１の実施形態に係る水処理設備を含む上下水システムの構成を示す図である。
【図２】図１に示す水処理設備の構成を示す図である。
【図３】第２の実施形態に係る水処理システムの構成を示す図である。
【図４】図３に示す監視制御装置の機能構成を示す図である。
【図５】第３の実施形態に係る水処理システムの構成を示す図である。
【図６】図５に示す監視制御装置の機能構成を示す図である。
【図７】時間帯別料金制度を採用する際の水単価の推移を示す図である。
【図８】リアルタイムプライシング制度を採用する際の水単価の推移を示す図である。
【図９】第４の実施形態に係る水処理システムの構成を示す図である。
【図１０】図９に示す監視制御装置の機能構成を示す図である。
【図１１】第５の実施形態に係る水処理システムの構成を示す図である。
【図１２】図１１に示す監視制御装置の機能構成を示す図である。
【図１３】第６の実施形態に係る水処理システムの構成を示す図である。
【図１４】図１３に示す監視制御装置の機能構成を示す図である。
【図１５】第７の実施形態に係る水処理システムの構成を示す図である。
【図１６】図１５に示す監視制御装置の機能構成を示す図である。
【図１７】図１３及び図１５に示すバルブが家庭内における設備毎に搭載される際の水処理システムの構成を示す図である。
【図１８】第８の実施形態に係る水処理システムを含む上下水システムの構成を示す図である。
【図１９】第８の実施形態に係る水処理システムを含む上下水システムの構成を示す図である。
【図２０】第８の実施形態に係る水処理システムの構成を示す図である。
【図２１】図２０に示す監視制御装置の機能構成を示す図である。
【図２２】第９の実施形態に係る水処理システムの構成を示す図である。
【図２３】第１０の実施形態に係る水処理システムの構成を示す図である。
【図２４】図２３に示す監視制御装置の機能構成を示す図である。
【図２５】水需要量及び排水量の傾向を示す図である。
【図２６】第１１の実施形態に係る水処理システムの構成を示す図である。
【図２７】図２６に示す監視制御装置の機能構成を示す図である。
【図２８】図２５に示す排水量の傾向がフラット化された傾向を示す図である。
【発明を実施するための形態】
【０００９】
以下、実施の形態について、図面を参照して説明する。
【００１０】
（第１の実施形態）  
図１は、第１の実施形態に係る水処理設備１０を含む上下水システムの構成を示す図である。図１に示す上下水システムは、水処理設備１０、配水池２０−１，２０−２、ポンプ３０−１，３０−２、配水塔４０−１，４０−２、貯水槽５０−１，５０−２、下水処理場６０を具備する。
【００１１】
図２は、図１に示す水処理設備１０の構成を示す図である。図２に示す水処理設備１０は、浄水場設備１１、再生水設備１２及び制御装置１３を備える。
【００１２】
浄水場設備１１は、河川からの河川水、井戸水、雨水及び需要家により排出されるきれいな排水のうち、少なくともいずれかの水を、制御装置１３からの指示に従って取水する。なお、きれいな排水については後述する。浄水場設備１１は、取水した水の水質を飲用水レベルまで浄化し、上水ラインへ送水する。以下では、上水ラインへ送水される水を上水と称する。
【００１３】
再生水設備１２は、河川水、井戸水、雨水及びきれいな排水のうち、少なくともいずれかの水を、制御装置１３からの指示に従って取水する。再生水設備１２は、取水した水の水質を、洗濯機及びトイレで使用される程度の水質に浄化し、中水ラインへ送水する。以下では、中水ラインへ送水される水を中水と称する。再生水設備１２で浄化される水質レベルは、浄水場設備１１で浄化される水質レベルよりも低いため、再生水設備１２での処理コストは浄水場設備１１での処理コストよりも低減することができる。
【００１４】
制御装置１３は、季節及び天気等から河川水、井戸水及び雨水の渇水状況を推定し、推定した渇水状況と、貯水槽５０−１，５０−２での備蓄量と、河川水、井戸水、雨水及びきれいな排水の浄水場設備１１及び再生水設備１２での処理コストとを含む様々な条件を参照し、浄水場設備１１及び再生水設備１２に対し、いずれの水を取水して処理するかを指示する。例えば、浄水場設備１１で、きれいな排水を飲用水レベルまで浄化するのには、処理コストが嵩むため、渇水時でない場合、きれいな排水は、再生水設備１２により取水され、再生水設備１２による処理された後、中水ラインへ送水されることとなる。
【００１５】
浄水場設備１１から上水ラインに送水される上水は、配水池２０−１に貯められ、ポンプ３０−１により配水塔４０−１へ送水される。上水は、配水塔４０−１から複数の需要家が存在する水供給エリアへ供給される。配水塔４０−１から供給される上水の水量が多い場合、上水は貯水槽５０−１に備蓄される。
【００１６】
再生水設備１２から中水ラインに送水される中水は、配水池２０−２に貯められ、ポンプ３０−２により配水塔４０−２へ送水される。中水は、配水塔４０−２から複数の需要家が存在する水供給エリアへ供給される。配水塔４０−２から供給される中水の水量が多い場合、中水は貯水槽５０−２に備蓄される。
【００１７】
水供給エリアに存在する各需要家が生活する家庭には、図２で示すように、風呂、洗面所、台所、洗濯機及びトイレ等、水を使用する複数の設備が設けられている。家庭に設けられる複数の設備は、設備毎に使用する水の水質が異なる。例えば、風呂、洗面所及び台所は、飲用水レベルの水質が求められ、洗濯機及びトイレでは、そこまでの水質は求められない。そこで、風呂、洗面所及び台所は、上水が供給されるようになっており、洗濯機及びトイレは、中水が供給されるようになっている。
【００１８】
また、家庭では、使用後の排水を、排水の水質レベルに応じて分別する。例えば、風呂、洗面所及び台所で使用された水は、きれいな排水であり、水処理設備１０へ送水される。一方、洗濯機及びトイレで使用された水は、汚い排水であり、下水処理場６０へ排出される。下水処理場６０は、水供給エリアから排出される汚い排水を、一定の水質レベルまで処理した後、河川等へ放流する。なお、渇水状態が深刻な場合には、洗濯機及びトイレで使用された水であっても、中水として利用可能な水質レベルであれば、水処理設備１０へ送水することも考えられる。
【００１９】
以上のように、第１の実施形態に係る水処理設備１０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減させることが可能となるため、浄水場設備１１及び下水処理場６０の規模を従来よりも縮小することが可能となると共に、設備コストの低減、及び、処理場の運用コストの低減を図ることが可能となる。また、河川からの取水量が減ることで、水事業者が支払ってきた取水権のコストを低減することも可能となる。
【００２０】
したがって、第１の実施形態に係る水処理設備によれば、渇水時においても水量を確保でき、かつ、下水処理場における下水処理コストを低減することができる。
【００２１】
（第２の実施形態）  
図３は、第２の実施形態に係る水処理システムの構成を示す図である。図３に示す水処理システムは、水処理設備７０、貯水槽５０−１，５０−２、水量センサ８１−１，８１−２及び監視制御装置８０を備える。
【００２２】
水処理設備７０は、浄水場設備１１、再生水設備１２、制御装置１３、取水ポンプ７１−１〜７１−４及びセンサ７２−１〜７２−４を備える。
【００２３】
センサ７２−１は、河川水の水質を計測し、取得した水質データを監視制御装置８０へ送信する。取水ポンプ７１−１は、監視制御装置８０からの制御に従い、河川水を取水し、取水した河川水を浄水場設備１１及び／又は再生水設備１２へ送水する。
【００２４】
センサ７２−２は、井戸水の水質及び水量を計測し、取得した水質データ及び水量データを監視制御装置８０へ送信する。取水ポンプ７１−２は、監視制御装置８０からの制御に従い、井戸水を取水し、取水した井戸水を浄水場設備１１及び／又は再生水設備１２へ送水する。
【００２５】
センサ７２−３は、雨水の水質を計測し、取得した水質データを監視制御装置８０へ送信する。取水ポンプ７１−３は、監視制御装置８０からの制御に従い、雨水を取水し、取水した雨水を浄水場設備１１及び／又は再生水設備１２へ送水する。
【００２６】
センサ７２−４は、きれいな排水の水質及び水量を計測し、取得した水質データ及び水量データを監視制御装置８０へ送信する。取水ポンプ７１−４は、監視制御装置８０からの制御に従い、きれいな排水を取水し、取水したきれいな排水を浄水場設備１１及び／又は再生水設備１２へ送水する。
【００２７】
貯水槽５０−１には、センサ５１−１が備えられる。センサ５１−１は、貯水槽５０−１の水量を計測し、取得した水量データを監視制御装置８０へ送信する。貯水槽５０−１は、監視制御装置８０からの貯水制御に従い、上水を貯水する。また、貯水槽５０−１は、監視制御装置８０からの放水制御に従い、備蓄する上水を上水ラインへ放水する。
【００２８】
貯水槽５０−２には、センサ５１−２が備えられる。センサ５１−２は、貯水槽５０−２の水量を計測し、取得した水量データを監視制御装置８０へ送信する。貯水槽５０−２は、監視制御装置８０からの貯水制御に従い、中水を貯水する。また、貯水槽５０−２は、監視制御装置８０からの放水制御に従い、備蓄する中水を中水ラインへ放水する。
【００２９】
センサ８１−１は、上水ラインに設けられ、水供給エリアに供給される上水の水量を計測する。センサ８１−１は、取得した水量データを監視制御装置８０へ送信する。
【００３０】
センサ８１−２は、中水ラインに設けられ、水供給エリアに供給される中水の水量を計測する。センサ８１−２は、取得した水量データを監視制御装置８０へ送信する。
【００３１】
監視制御装置８０は、例えば、複数のサーバから構築されるクラウドサーバである。監視制御装置８０は、水処理設備７０、センサ８１−１，８１−２及び貯水槽５０−１，５０−２とインターネット等のネットワークにより接続される。監視制御装置８０は、センサ７２−１〜７２−４から送信される水質データ及び水量データ、センサ５１−１，５１−２から送信される水量データ、並びに、センサ８１−１，８１−２から送信される水量データを受信する。
【００３２】
監視制御装置８０は、図４に示すように、信号処理部８２を備える。信号処理部８２は、例えば、ＣＰＵ（Central Processing Unit）、並びに、ＲＯＭ（Read Only Memory）及びＲＡＭ（Random Access Memory）等のＣＰＵが処理を実行するためのプログラムやデータの格納領域等を含む。信号処理部８２は、センサ８１−１，８１−２から送信される水量データに基づき、水供給エリアにおける上水の水需要を示す第１の水需要データと、水供給エリアにおける中水の水需要を示す第２の水需要データとを生成する。信号処理部８２は、センサ５１−１，５１−２から把握される貯水槽５０−１，５０−２の水量、並びに、センサ７２−１〜７２−４から把握される水源の水質及び水量を参照し、第１及び第２の水需要データにより示される水需要を満たしつつ、浄水場設備１１及び再生水設備１２における水処理コストが最小限となるように、浄水場設備１１及び再生水設備１２における河川水、井戸水、雨水及びきれいな排水の処理量を決定する。信号処理部８２は、決定した処理量を実現するように、取水ポンプ７１−１〜７１−４、制御装置１３及び貯水槽５０−１，５０−２を制御する。
【００３３】
河川水、井戸水及び雨水等の水源は水量及び／又は水質が常に変化する。例えば、雨季にはたくさんの雨水が確保できるが、乾季には雨水の確保が難しくなる。また、雨が降って間もない時間帯の雨水は塵や埃等による汚れがひどいが、一定時間が経過すると雨水の汚れは改善する。汚れがひどい水に対して水処理を行うよりも、汚れが少ない水に対して水処理を行う方が、水処理コストを少なく抑えられる。このように、水源の水量及び水質に基づいて水の処理量を決定することは効果的である。
【００３４】
なお、浄水場設備１１において、水処理コストを低減させる制御としては、例えば、水質が所定レベルよりも高い場合には、浄水場設備１１に設けられる好気槽におけるブロアの量を減らす制御が挙げられる。
【００３５】
以上のように、第２の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減させることが可能となるため、浄水場設備１１及び下水処理場６０の規模を従来よりも縮小することが可能となると共に、設備コストの低減、及び、処理場の運用コストの低減を図ることが可能となる。
【００３６】
したがって、第２の実施形態に係る水処理システムによれば、渇水時においても水量を確保でき、かつ、下水処理場における下水処理コストを低減することができる。
【００３７】
また、第２の実施形態に係る水処理システムは、センサ７２−１〜７２−４により取得される水源についての水質データ及び水量データ、センサ５１−１，５１−２により取得される貯水槽５０−１，５０−２の水量データ、並びに、センサ８１−１，８１−２により取得される水供給エリアでの水量データに基づいて、水処理設備７０を制御するようにしている。これにより、浄水場設備１１及び再生水設備１２における処理コストをより効率的に低減させることが可能となる。
【００３８】
（第３の実施形態）  
図５は、第３の実施形態に係る水処理システムの構成を示す図である。図５に示す水処理システムは、水処理設備７０、貯水槽５０−１，５０−２、水量センサ８１−１，８１−２、計測装置９１−１，９１−２及び監視制御装置９０を備える。
【００３９】
計測装置９１−１は、例えば、スマートメータであり、水供給エリアに存在する各家庭における上水ラインに設置される。計測装置９１−１は、需要家による水の使用量のうち、上水の使用量を計測する。計測装置９１−１は、計測した使用量を使用量データとして監視制御装置９０へリアルタイムでアップロードする。
【００４０】
計測装置９１−２は、例えば、スマートメータであり、水供給エリアに存在する各家庭における中水ラインに設置される。計測装置９１−２は、需要家による水の使用量のうち、中水の使用量を計測する。計測装置９１−２は、計測した使用量を使用量データとして監視制御装置９０へリアルタイムでアップロードする。
【００４１】
監視制御装置９０は、例えば、複数のサーバから構築されるクラウドサーバである。監視制御装置９０は、水処理設備７０、センサ８１−１，８１−２、貯水槽５０−１，５０−２及び家庭とインターネット等のネットワークにより接続される。監視制御装置９０は、センサ７２−１〜７２−４から送信される水質データ及び水量データ、センサ５１−１，５１−２から送信される水量データ、センサ８１−１，８１−２から送信される水量データ、並びに、計測装置９１−１，９１−２から送信される使用量データを受信する。
【００４２】
監視制御装置９０は、図６に示すように、信号処理部９２を備える。信号処理部９２は、例えば、ＣＰＵ、並びに、ＲＯＭ及びＲＡＭ等のＣＰＵが処理を実行するためのプログラムやデータの格納領域等を含む。信号処理部９２は、各家庭に設置される計測装置９１−１から送信される使用量データに基づき、水供給エリアにおける上水の水需要を示す第１の水需要データを生成する。また、信号処理部９２は、各家庭に設置される計測装置９１−２から送信される使用量データに基づき、水供給エリアにおける中水の水需要を示す第２の水需要データを生成する。また、第１の水需要データおよび第２の水需要データを生成する際に、センサ８１−１から送信される水量データ及びセンサ８１−２から送信される水量データを用いて補完することもできる。例えば、計測装置の未整備や故障などにより全需要家の計測装置から使用量データが得られない場合は、センサから送信される水量データの方が大きな値となる。このようなときには、計測装置の使用量データとセンサの水量データを用いて、水需要データを生成する。例えば、過去の使用量データと水量データとの関係を参照して、水需要量データを生成することが可能である。
【００４３】
信号処理部９２は、センサ５１−１，５１−２から把握される貯水槽５０−１，５０−２の水量、並びに、センサ７２−１〜７２−４から把握される水源の水質及び水量を参照し、第１及び第２の水需要データにより示される水需要を満たしつつ、浄水場設備１１及び再生水設備１２における水処理コストが最小限となるように、浄水場設備１１及び再生水設備１２における河川水、井戸水、雨水及びきれいな排水の処理量を決定する。信号処理部９２は、決定した処理量を実現するように、取水ポンプ７１−１〜７１−４、制御装置１３及び貯水槽５０−１，５０−２を制御する。
【００４４】
以上のように、第３の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減させることが可能となるため、浄水場設備１１及び下水処理場６０の規模を従来よりも縮小することが可能となると共に、設備コストの低減、及び、処理場の運用コストの低減を図ることが可能となる。
【００４５】
したがって、第３の実施形態に係る水処理システムによれば、渇水時においても水量を確保でき、かつ、下水処理場における下水処理コストを低減することができる。
【００４６】
また、第３の実施形態に係る水処理システムは、センサ７２−１〜７２−４により取得される水源についての水質データ及び水量データ、センサ５１−１，５１−２により取得される貯水槽５０−１，５０−２の水量データ、並びに、計測装置９１−１，９１−２により取得される各家庭における水の使用量データに基づいて、水処理設備７０を制御するようにしている。これにより、監視制御装置９０は、各需要家の水質別水需要量をリアルタイムで把握することが可能となるため、時々刻々と変化する水供給エリアでの水需要に即して、水処理設備７０及び貯水槽５０−１，５０−２を最適に運用することが可能となる。
【００４７】
（第４の実施形態）  
第１乃至第３の実施形態では、水の基本使用量をベースとし、水の使用量に応じた従量課金制を採る一般的な水道料金制度を採用する場合を例に説明した。しかしながら、供給する水は水源によって取水権コスト及び／又は水処理コスト（水質によってコストが異なる）等により水供給コストが異なる。また、渇水時には水の安定供給のために河川からの取水量をできるだけ抑えたいという思いが働く。そこで、第４乃至第１１の実施形態では、水供給コストの差、及び、意図的な運用方針を需要家向け水単価に反映させる制度、例えば、時間帯別料金制度又はリアルタイムプライシング制度を採用する場合について説明する。時間帯別料金制度とは、過去のトレンド等に基づき、時間帯及び期間（季節等）によって水単価を変化させる料金制度であり、水単価の推移は、例えば、図７のように示される。リアルタイムプライシング制度とは、実際の状況にあわせて料金体系を変更する料金制度であり、水単価の推移は、例えば、図８のように示される。
【００４８】
図９は、第４の実施形態に係る水処理システムの構成を示す図である。図９に示す水処理システムは、水処理設備７０、貯水槽５０−１，５０−２、水量センサ８１−１，８１−２、計測装置９１−１，９１−２、管理端末１０１及び監視制御装置１００を備える。
【００４９】
管理端末１０１は、例えば、表示部付きの家庭向けエネルギー管理システム（HEMS:Home Energy Management System）であり、水供給エリアに存在する各家庭に設置される。管理端末１０１は、監視制御装置１００から与えられる第１及び第２の水単価情報を表示する。第１の水単価情報は、上水の水単価を表し、第２の水単価情報は、中水の水単価を表す。需要家は、管理端末１０１に表示される第１及び第２の水単価情報を参照して家庭に備えられる設備を使用する。例えば、需要家は、上水の水単価が現時間帯において高いと判断した場合、風呂、洗面所及び台所の使用を控え、上水の水単価が現時間帯において安いと判断した場合、これらの設備を使用する。
【００５０】
監視制御装置１００は、例えば、複数のサーバから構築されるクラウドサーバである。監視制御装置１００は、水処理設備７０、センサ８１−１，８１−２、貯水槽５０−１，５０−２及び家庭とインターネット等のネットワークにより接続される。監視制御装置１００は、センサ７２−１〜７２−４から送信される水質データ及び水量データ、センサ５１−１，５１−２から送信される水量データ、センサ８１−１，８１−２から送信される水量データ、並びに、計測装置９１−１，９１−２から送信される使用量データを受信する。
【００５１】
監視制御装置１００は、図１０に示すように、信号処理部１０２を備える。信号処理部１０２は、例えば、ＣＰＵ、並びに、ＲＯＭ及びＲＡＭ等のＣＰＵが処理を実行するためのプログラムやデータの格納領域等を含む。信号処理部１０２は、各家庭に設置される計測装置９１−１から送信される使用量データに基づき、水供給エリアにおける上水の水需要を示す第１の水需要データを生成する。また、信号処理部１０２は、各家庭に設置される計測装置９１−２から送信される使用量データに基づき、水供給エリアにおける中水の水需要を示す第２の水需要データを生成する。
【００５２】
時間帯別料金制度が採用されている場合、信号処理部１０２は、過去のトレンド等に基づいて設定されている上水についての水単価から第１の水単価情報を生成し、生成した第１の水単価情報を各家庭に設置されている管理端末１０１へ送信する。また、信号処理部１０２は、過去のトレンド等に基づいて設定されている中水についての水単価から第２の水単価情報を生成し、生成した第２の水単価情報を管理端末１０１へ送信する。また、リアルタイムプライシング制度が採用されている場合、信号処理部１０２は、第１の水需要データに基づいて第１の水単価情報を生成し、生成した第１の水単価情報を管理端末１０１へ送信する。また、信号処理部１０２は、第２の水需要データに基づいて第２の水単価情報を生成し、生成した第２の水単価情報を管理端末１０１へ送信する。
【００５３】
信号処理部１０２は、センサ５１−１，５１−２から把握される貯水槽５０−１，５０−２の水量、並びに、センサ７２−１〜７２−４から把握される水源の水質及び水量を参照し、第１及び第２の水需要データにより示される水需要を満たしつつ、浄水場設備１１及び再生水設備１２における水処理コストが最小限となるように、浄水場設備１１及び再生水設備１２における河川水、井戸水、雨水及びきれいな排水の処理量を決定する。信号処理部１０２は、決定した処理量を実現するように、取水ポンプ７１−１〜７１−４、制御装置１３及び貯水槽５０−１，５０−２を制御する。
【００５４】
以上のように、第４の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減させることが可能となるため、浄水場設備１１及び下水処理場６０の規模を従来よりも縮小することが可能となると共に、設備コストの低減、及び、処理場の運用コストの低減を図ることが可能となる。
【００５５】
したがって、第４の実施形態に係る水処理システムによれば、渇水時においても水量を確保でき、かつ、下水処理場における下水処理コストを低減することができる。
【００５６】
また、第４の実施形態に係る水処理システムは、各家庭に設置される管理端末１０１へ上水についての第１の水単価情報と、中水についての第２の水単価情報とを送信する。そして、管理端末１０１は、第１及び第２の水単価情報を表示するようにしている。これにより、需要家は、水質別の料金をもとに、適宜、用途毎の水の利用可否を判断することが可能となり、水道料を抑えることが可能となると共に、水の使用量の平滑化及びピークシフトに貢献することが可能となる。
【００５７】
（第５の実施形態）  
図１１は、第５の実施形態に係る水処理システムの構成を示す図である。図１１に示す水処理システムは、水処理設備７０、貯水槽５０−１，５０−２、水量センサ８１−１，８１−２、計測装置９１−１，９１−２、管理端末１０３及び監視制御装置１００を備える。
【００５８】
管理端末１０３は、例えば、家庭向けエネルギー管理システムであり、水供給エリアに存在する各家庭に設置される。管理端末１０３は、監視制御装置１００から上水についての第１の水単価情報と、中水についての第２の水単価情報とが与えられる。また、管理端末１０３は、需要家から、家庭に設置される、例えば、風呂、台所及び洗濯機等の設備についての予約設定が入力される。ここで入力される予約設定とは、例えば、夕方の○○時までに湯張を完了すること、夜の△△時までに食器洗いを完了すること、及び、朝の□□時までに洗濯を完了すること等が挙げられる。
【００５９】
管理端末１０３は、図１２に示すように、信号処理部１０３１を備える。信号処理部１０３１は、例えば、ＣＰＵ、並びに、ＲＯＭ及びＲＡＭ等のＣＰＵが処理を実行するためのプログラムやデータの格納領域等を含む。信号処理部１０３１は、監視制御装置１００から送信される第１及び第２の水単価情報と、需要家から入力される予約設定とに基づき、設備を運転させる最適な時間帯を算出する。信号処理部１０３１は、算出した時間帯で家庭内の設備を運転させるように、家庭内の設備に対してオン／オフ運転制御を実行する。
【００６０】
以上のように、第５の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減させることが可能となるため、浄水場設備１１及び下水処理場６０の規模を従来よりも縮小することが可能となると共に、設備コストの低減、及び、処理場の運用コストの低減を図ることが可能となる。
【００６１】
したがって、第５の実施形態に係る水処理システムによれば、渇水時においても水量を確保でき、かつ、下水処理場における下水処理コストを低減することができる。
【００６２】
また、第５の実施形態に係る水処理システムは、各家庭に設置される管理端末１０３へ上水についての第１の水単価情報と、中水についての第２の水単価情報とを送信する。そして、管理端末１０３は、第１及び第２の水単価情報と、需要家から入力される予約設定とに基づき、家庭に設けられた設備の運転を制御するようにしている。水を消費する風呂及び洗濯機等は、水を使用する時間帯に幅がある。例えば、風呂はある決められた時刻までに沸いていればよく、また、洗濯はある時間までに完了していればよい。そこで、管理端末１０３により最適な時間帯で設備の運動を制御させることで、需要家は、水道料を抑えることが可能となると共に、水の使用量の平滑化及びピークシフトに貢献することが可能となる。
【００６３】
（第６の実施形態）  
図１３は、第６の実施形態に係る水処理システムの構成を示す図である。図１３に示す水処理システムは、水処理設備７０、貯水槽５０−１，５０−２、水量センサ８１−１，８１−２、計測装置９１−１，９１−２、管理端末１０４及び監視制御装置１００を備える。
【００６４】
管理端末１０４は、例えば、表示部を備えた家庭向けエネルギー管理システムであり、水供給エリアに存在する各家庭に設置される。管理端末１０４は、監視制御装置１００から第１及び第２の水単価情報が与えられる。管理端末１０４は、与えられる第１及び第２の水単価情報を表示する。
【００６５】
ここで、各家庭には、家庭内の設備において、上水を使用するか、又は、中水を使用するかを選択可能な機構が備えられている。例えば、図１３で示すように、バルブ２０１−１が開き、バルブ２０１−２が閉じている場合、洗濯機へは上水が供給される。一方、バルブ２０１−１が閉じ、バルブ２０１−２が開いている場合、洗濯機へは中水が供給される。バルブ２０１−１，２０１−２は、管理端末１０４からの開閉制御に従って開閉する。
【００６６】
管理端末１０４は、家庭に設置される、例えば、風呂、台所及び洗濯機等の設備についての予約設定が、需要家から入力される。ここで入力される予約設定とは、例えば、朝の□□時までに上水優先で洗濯を完了すること等が挙げられる。また、管理端末１０４は、需要家から、上水ラインから中水ラインへ切り替える旨の指示、又は、中水ラインから上水ラインへ切り替える旨の指示が入力される。
【００６７】
管理端末１０４は、図１４に示すように、信号処理部１０４１を備える。信号処理部１０４１は、例えば、ＣＰＵ、並びに、ＲＯＭ及びＲＡＭ等のＣＰＵが処理を実行するためのプログラムやデータの格納領域等を含む。信号処理部１０４１は、監視制御装置１００から送信される上水についての第１の水単価情報、中水についての第２の水単価情報、及び、需要家から入力される予約設定に基づき、中水ライン及び上水ラインから最適なラインを選択すると共に、設備を運転させる最適な時間帯を算出する。信号処理部１０４１は、選択したラインから水が供給されるようにバルブ２０１−１，２０１−２に対して開閉制御を実行すると共に、算出した時間帯で家庭内の設備を運転させるように、家庭内の設備に対してオン／オフ運転制御を実行する。例えば、普段、洗濯機は中水を使用して洗濯をしているが、予約により設定される時刻までに、夜間等の、上水のコストが比較的安く、かつ、中水のコストとの水単価差が大きくない時間帯が含まれる場合、管理端末１０４は、この時間帯において、バルブ２０１−１を開くと共に、バルブ２０１−２を閉じ、洗濯機を上水を用いて運転させる。
【００６８】
また、信号処理部１０４１は、需要家から、上水ラインから中水ラインへ切り替える旨の指示、又は、中水ラインから上水ラインへ切り替える旨の指示が入力された場合、バルブ２０１−１，２０１−２に対して開閉制御を実行する。
【００６９】
以上のように、第６の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減させることが可能となるため、浄水場設備１１及び下水処理場６０の規模を従来よりも縮小することが可能となると共に、設備コストの低減、及び、処理場の運用コストの低減を図ることが可能となる。
【００７０】
したがって、第６の実施形態に係る水処理システムによれば、渇水時においても水量を確保でき、かつ、下水処理場における下水処理コストを低減することができる。
【００７１】
また、第６の実施形態に係る水処理システムは、各家庭に設置される管理端末１０４により、家庭内の設備が使用する水の供給ラインを切り替えるようにしている。これにより、需要家は、中水に代えて上水を使用することが可能となるため、きれいな水質の水を用いて洗濯等をすることが可能となる。また、需要家は、上水に代えて中水を使用することが可能となるため、水道料をさらに抑えることが可能となる。
【００７２】
なお、第６の実施形態では、管理端末１０４が、上水ラインと中水ラインとを、バルブ２０１−１，２０１−２を開閉制御することで切り替える場合を例に説明したが、これに限定されない。例えば、各家庭に上水ライン用の第１の蛇口と、中水ライン用の第２の蛇口とを設けるようにしても構わない。需要家は、管理端末１０４に表示される第１及び第２の水単価情報を参照し、第１又は第２の蛇口を利用して設備を使用する。
【００７３】
（第７の実施形態）  
図１５は、第７の実施形態に係る水処理システムの構成を示す図である。図１５に示す水処理システムは、水処理設備７０、貯水槽５０−１，５０−２、水量センサ８１−１，８１−２、計測装置９１−１，９１−２、管理端末１０５及び監視制御装置１００を備える。
【００７４】
管理端末１０５は、例えば、表示部を備えた家庭向けエネルギー管理システムであり、水供給エリアに存在する各家庭に設置される。管理端末１０５は、監視制御装置１００から第１及び第２の水単価情報が与えられる。管理端末１０５は、与えられる第１及び第２の水単価情報を表示する。
【００７５】
ここで、各家庭には、家庭内の設備で使用された水を、きれいな排水として排出するか、又は、汚れた排水として排出するかを選択可能な機構が備えられている。例えば、図１５で示すように、バルブ２０２−１が開き、バルブ２０２−２が閉じている場合、洗濯機からの排水はきれいな排水として、水処理設備へ送水される。一方、バルブ２０２−１が閉じ、バルブ２０２−２が開いている場合、洗濯機からの排水は汚れた排水として、下水処理場へ排出される。バルブ２０２−１，２０２−２は、管理端末１０５からの開閉制御に従って開閉する。
【００７６】
管理端末１０５は、各家庭に設置される、例えば、風呂、台所及び洗濯機等の設備についての予約設定が、需要家から入力される。
【００７７】
管理端末１０５は、図１６に示すように、信号処理部１０５１を備える。信号処理部１０５１は、例えば、ＣＰＵ、並びに、ＲＯＭ及びＲＡＭ等のＣＰＵが処理を実行するためのプログラムやデータの格納領域等を含む。信号処理部１０５１は、監視制御装置１００から送信される上水についての第１の水単価情報、中水についての第２の水単価情報、及び、需要家から入力される予約設定に基づき、設備を運転させる最適な時間帯を算出する。また、信号処理部１０５１は、家庭内の設備から排出される排水の水質が予め設定されている。例えば、洗濯機による洗濯において、洗濯初期におけるすすぎ処理で排出される排水の水質は悪いが、複数回後のすすぎ処理で排出される排水の水質は良いものである等である。信号処理部１０５１は、排水の水質に従い、排水がきれいな排水であるか、汚れた排水であるかを決定する。例えば、信号処理部１０５１は、洗濯機における洗濯時において、１〜２回目のすすぎ処理の排水は汚れた排水とし、３回目以降のすすぎ処理の排水はきれいな排水とする。信号処理部１０５１は、きれいな排水であるか、汚れた排水であるかに応じ、バルブ２０２−１，２０２−２に対して開閉制御を実施する。
【００７８】
以上のように、第７の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減させることが可能となるため、浄水場設備１１及び下水処理場６０の規模を従来よりも縮小することが可能となると共に、設備コストの低減、及び、処理場の運用コストの低減を図ることが可能となる。
【００７９】
したがって、第７の実施形態に係る水処理システムによれば、渇水時においても水量を確保でき、かつ、下水処理場における下水処理コストを低減することができる。
【００８０】
また、第７の実施形態に係る水処理システムは、各家庭に設置される管理端末１０５により、家庭内の設備による排水の排出先を切り替えるようにしている。これにより、水処理システムでは、きれいな排水か、汚れた排水であるかの選別を、より詳細に行うことが可能となる。このため、水資源をより効率的に運用することが可能となる。
【００８１】
なお、図１３に示す水処理システムが有するバルブ２０１−１，２０１−２、及び、図１５に示す水処理システムが有するバルブ２０２−１，２０２−２が、家庭内における設備毎に搭載された状態を図１７に示す。このように、第３乃至第７の実施形態に係る水処理システムは、需要家を巻き込んで水インフラの制御を行うことで、水供給の安定化、水インフラの設備コスト及び運用コストの削減が可能となる。
【００８２】
（第８の実施形態）  
通常、下水には、需要家から排出される汚水排水と、雨による雨水排水とが含まれる。下水排水の送水方式には大きく分けて以下の２種類ある。１つ目の方式は、図１８で示すように、汚水は汚水管を用いて下水処理場で処理し、雨水は雨水管を用いて河川に直接放流する分流式である。また、２つ目の方式は、図１９で示すように、汚水と雨水とを１つの管路、すなわち、合流管で下水処理場まで送る合流式である。図１８及び図１９で示すように、下水道インフラには、滞水池が設置されていることが多い。
【００８３】
滞水池は、降雨時初期の汚濁が著しい雨水排水を一旦貯留する。そして、分流式において使用される滞水池は、降雨が収まった後、貯めた雨水を河川へ放流する。また、合流式において使用される滞水池は、降雨が収まり、下水処理場に余裕が出来た際に、貯めた雨水を下水処理場へ放流する。また、滞水池は、大雨等による浸水被害を軽減するための貯留施設として使用する場合もある。
【００８４】
第８乃至第１１の実施形態では、この滞水池を利用した水処理システムについて記載する。
【００８５】
図２０は、第８の実施形態に係る水処理システムの構成を示す図である。図２０に示す水処理システムは、水処理設備７０、貯水槽５０−１，５０−２、水量センサ８１−１，８１−２、計測装置９１−１，９１−２、管理端末１０３、滞水池１１０−１〜１１０−３、レーダ雨量計１２０及び監視制御装置１３０を備える。
【００８６】
滞水池１１０−１〜１１０−３は、降雨による雨水を、監視制御装置１３０からの貯留制御に従って貯留する。このとき、滞水池１１０−１〜１１０−３は、降雨開始から、滞水池１１０−３、滞水池１１０−２、滞水池１１０−１の順に雨水が貯まるように、監視制御装置１３０から貯留制御を受ける。このようにすることで、滞水池１１０−１には、降雨開始から一定時間経過後の比較的きれいな雨水が貯留されることとなる。
【００８７】
滞水池１１０−１は、監視制御装置１３０からの放出制御に従い、貯留するきれいな雨水を浄水場設備１１及び／又は再生水設備１２へ放出する。滞水池１１０−２，１１０−３は、監視制御装置１３０からの放出制御に従い、貯めた雨水を下水処理場６０へ放出する。
【００８８】
レーダ雨量計１２０は、雨雲の状態等を観測し、雨量データ及び風向・風速データ等の観測データを取得する。レーダ雨量計１２０は、監視制御装置１３０へ取得した観測データを送信する。
【００８９】
監視制御装置１３０は、例えば、複数のサーバから構築されるクラウドサーバである。監視制御装置１３０は、水処理設備７０、センサ８１−１，８１−２、貯水槽５０−１，５０−２、家庭、下水処理場６０、滞水池１１０−１〜１１０−３及びレーダ雨量計１２０とインターネット等のネットワークにより接続される。監視制御装置１３０は、センサ７２−１〜７２−４から送信される水質データ及び水量データ、センサ５１−１，５１−２から送信される水量データ、センサ８１−１，８１−２から送信される水量データ、下水処理場６０から送信される運転状況、計測装置９１−１，９１−２から送信される使用量データ、並びに、レーダ雨量計１２０から送信される観測データを受信する。
【００９０】
監視制御装置１３０は、図２１に示すように、信号処理部１３１を備える。信号処理部１３１は、例えば、ＣＰＵ、並びに、ＲＯＭ及びＲＡＭ等のＣＰＵが処理を実行するためのプログラムやデータの格納領域等を含む。信号処理部１３１は、各家庭に設置される計測装置９１−１から送信される使用量データに基づき、水供給エリアにおける上水の水需要を示す第１の水需要データを生成する。また、信号処理部１３１は、各家庭に設置される計測装置９１−２から送信される使用量データに基づき、水供給エリアにおける中水の水需要を示す第２の水需要データを生成する。
【００９１】
時間帯別料金制度が採用されている場合、信号処理部１３１は、過去のトレンド等に基づいて設定されている上水についての水単価から第１の水単価情報を生成し、生成した第１の水単価情報を各家庭に設置されている管理端末１０１へ送信する。また、信号処理部１３１は、過去のトレンド等に基づいて設定されている中水についての水単価から第２の水単価情報を生成し、生成した第２の水単価情報を管理端末１０３へ送信する。また、リアルタイムプライシング制度が採用されている場合、信号処理部１３１は、第１の水需要データに基づいて第１の水単価情報を生成し、生成した第１の水単価情報を管理端末１０３へ送信する。また、信号処理部１３１は、第２の水需要データに基づいて第２の水単価情報を生成し、生成した第２の水単価情報を管理端末１０３へ送信する。
【００９２】
信号処理部１３１は、センサ５１−１，５１−２から把握される貯水槽５０−１，５０−２の水量、センサ７２−１〜７２−４から把握される水源の水質及び水量、並びに、レーダ雨量計１２０から把握される気象情報を参照し、第１及び第２の水需要データにより示される水需要を満たしつつ、浄水場設備１１及び再生水設備１２における水処理コストが最小限となるように、浄水場設備１１及び再生水設備１２における河川水、井戸水、雨水及びきれいな排水の処理量を決定する。このとき、浄水場設備１１及び／又は再生水設備１２で処理される雨水の処理量は、滞水池１１０−１に貯留されるきれいな雨水も含めて決定される。信号処理部１３１は、決定した処理量を実現するように、取水ポンプ７１−１〜７１−４、制御装置１３、貯水槽５０−１，５０−２及び滞水池１１０−１を制御する。
【００９３】
信号処理部１３１は、滞水池１１０−１〜１１０−３を以下のように制御する。
【００９４】
信号処理部１３１は、降雨開始時から一定時間経過するまでの水質の悪い雨水が滞水池１１０−３及び滞水池１１０−２に貯留され、降雨開始時から一定時間経過したきれいな雨水が滞水池１１０−１に貯留されるように、滞水池１１０−１〜１１０−３に対して貯留制御を実施する。また、信号処理部１３１は、浄水場設備１１及び／又は再生水設備１２で処理される雨水の処理量を実現するように、滞水池１１０−１に対してきれいな雨水の放出制御を実施する。
【００９５】
信号処理部１３１は、下水処理場６０から送信される下水処理場６０の運転状況を参照し、下水処理場６０が雨水を処理する余裕があるか否かを判断する。余裕があると判断した場合、信号処理部１３１は、滞水池１１０−２，１１０−３に対して、貯留した雨水を下水処理場６０へ放出するように放出制御を実施する。
【００９６】
また、降雨予測により大雨が予測されるときには、事前に浄水場設備１１、再生水設備１２、下水処理場６０での処理を行い、沈砂池や沈澱池や滞水池の貯留水量を減らしておくことによって、より多くの雨水を貯留可能となり、河川氾濫等の水害を抑制することができる。
【００９７】
以上のように、第８の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減、平滑化させることが可能となるため、浄水場設備１１及び下水処理場６０の規模を従来よりも縮小することが可能となると共に、設備コストの低減、及び、処理場の運用コストの低減を図ることが可能となる。
【００９８】
したがって、第８の実施形態に係る水処理システムによれば、渇水時においても水量を確保でき、かつ、下水処理場における下水処理コストを低減することができる。
【００９９】
また、第８の実施形態に係る水処理システムでは、水処理設備７０は、滞水池１１０−１に貯留されるきれいな雨水を浄水場設備１１及び／又は再生水設備１２により処理して、水供給エリアへ供給するようにしている。滞水池１１０−１〜１１０−３が存在する場合、降雨時の雨量によっては滞水池１１０−２，１１０−３で汚れた雨水の貯蔵を賄うことが可能である。このため、滞水池１１０−１では、降雨開始から一定時間経過後の比較的きれいな雨水を水源として直接取水することが可能となり、水処理システムは、滞水池１１０−１に貯蔵されているきれいな雨水を、降雨後に水源として活用することが可能となる。
【０１００】
また、第８の実施形態では、監視制御装置１３０は、下水処理場６０の運転状況を参照し、下水処理場６０の運転状況に余裕がある場合、滞水池１１０−２，１１０−３に対して、貯留した雨水を下水処理場６０へ放出するようにしている。これにより、下水処理場６０の運用コストの低減が可能となる。
【０１０１】
また、降雨予測により大雨が予測されるときには、事前に浄水場設備１１、再生水設備１２、下水処理場６０での処理を行い、沈砂池や沈澱池や滞水池の貯留水量を減らしておくことによって、より多くの雨水を貯留可能となり、河川氾濫等の水害を抑制することができる。
【０１０２】
（第９の実施形態）  
図２２は、第９の実施形態に係る水処理システムの構成を示す図である。図２２に示す水処理システムは、水処理設備７０、貯水槽５０−１，５０−２、水量センサ８１−１，８１−２、計測装置９１−１，９１−２、管理端末１０３、滞水池１１０−１，１１０−２、レーダ雨量計１４０及び監視制御装置１３０を備える。
【０１０３】
第８の実施形態と異なる点は、レーダ雨量計１４０が、フェーズドアレイ気象レーダを備え、空気中の水分量を３次元観測する。これにより、鉛直積算雨水量を算出すること等が可能となり、所定の範囲のエリア毎のリアルタイムで正確な雨量を予測／実測することが可能となる。レーダ雨量計１４０は、雨量を予測／実測した観測データを、監視制御装置１３０へ送信する。
【０１０４】
以上のように、第９の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減、平滑化させることが可能となるため、浄水場設備１１及び下水処理場６０の規模を従来よりも縮小することが可能となると共に、設備コストの低減、及び、処理場の運用コストの低減を図ることが可能となる。
【０１０５】
したがって、第９の実施形態に係る水処理システムによれば、渇水時においても水量を確保でき、かつ、下水処理場における下水処理コストを低減することができる。
【０１０６】
また、第９の実施形態に係る水処理システムでは、第８の実施形態に係る水処理システムで用いられるレーダ雨量計１２０よりも高性能な、フェーズドアレイ気象レーダを備えるレーダ雨量計１４０を備えるようにしている。従来のレーダ雨量計１２０による観測データでは、観測エリア毎にどの程度の雨量が見込めるのかを正確に把握することは困難である。そのため、第８の実施形態では、滞水池１１０−１〜１１０−３を設け、ある程度の余裕を持たせたうえで、監視制御装置１３０により、滞水池１１０−１〜１１０−３に対して貯留／放出制御を実施するようにしている。しかしながら、ある程度の余裕を持たせた運用であるため、滞水池１１０−１〜１１０−３の実際の設備容量全てを活用した運用は困難である。本実施形態によれば、レーダ雨量計１４０により、観測エリア毎の正確な雨量をリアルタイムで計測することが可能であるため、滞水池１１０−１，１１０−２の設備容量を余すことなく活用した最適運用が可能となる。例えば、設備容量の２０％を予備とし、８０％の設備容量で運用していた滞水池を、設備容量の１００％で運用することが可能となる。これにより、滞水池１１０−１，１１０−２は、第８の実施形態に係る滞水池１１０−１，１１０−２より多くの水を貯留することが可能となり、第８の実施形態では滞水池１１０−１〜１１０−３で賄っていた運用を、滞水池１１０−１，１１０−２で賄うことが可能となる。また、滞水地の削減に伴う設備・運用コストの低減に貢献することとなる。また、滞水池に効率的に雨水を貯留することが可能となるため、滞水池の小型化も実現可能となり、滞水池の小型化に伴う設備・運用コストの低減に貢献することとなる。また、降雨予測が高性能化されることにより、監視制御装置１３０は、きれいな雨水を取水する取水ポンプ７１−３の運転をより効率的に制御することが可能となる。また、降雨予測が高性能化されることにより、水処理システムは、下水処理場６０のより効率的な運用に貢献することが可能となる。
【０１０７】
（第１０の実施形態）  
図２３は、第１０の実施形態に係る水処理システムの構成を示す図である。図２３に示す水処理システムは、水処理設備７０、貯水槽５０−１，５０−２、水量センサ８１−１，８１−２、計測装置９１−１，９１−２、管理端末１０３、滞水池１１０−１，１１０−２、レーダ雨量計１４０及び監視制御装置１５０を備える。
【０１０８】
滞水池１１０−１には、取水ポンプ１１１−１及び送水ポンプ１１１−２が設けられる。取水ポンプ１１１−１は、監視制御装置１５０からの制御に従い、きれいな雨水を取水する。送水ポンプ１１１−２は、監視制御装置１５０からの制御に従い、滞水池１１０−１から放出されるきれいな雨水を浄水場設備１１及び／又は再生水設備１２へ送水する。
【０１０９】
レーダ雨量計１４０は、フェーズドアレイ気象レーダを備え、空気中の水分量を３次元観測する。これにより、鉛直積算雨水量を算出すること等が可能となり、降雨エリア、降雨時刻及び降雨量を正確に予測／実測することが可能となる。レーダ雨量計１４０は、降雨エリア、降雨時刻及び降雨量を予測／実測した観測データを、監視制御装置１３０へ送信する。
【０１１０】
監視制御装置１５０は、例えば、複数のサーバから構築されるクラウドサーバである。監視制御装置１５０は、水処理設備７０、センサ８１−１，８１−２、貯水槽５０−１，５０−２、家庭、下水処理場６０、滞水池１１０−１〜１１０−３及びレーダ雨量計１４０とインターネット等のネットワークにより接続される。監視制御装置１５０は、センサ７２−１〜７２−４から送信される水質データ及び水量データ、センサ５１−１，５１−２から送信される水量データ、センサ８１−１，８１−２から送信される水量データ、下水処理場６０から送信される運転状況、計測装置９１−１，９１−２から送信される使用量データ、並びに、レーダ雨量計１４０から送信される観測データを受信する。
【０１１１】
監視制御装置１５０は、図２４に示すように、信号処理部１５１を備える。信号処理部１５１は、例えば、ＣＰＵ、並びに、ＲＯＭ及びＲＡＭ等のＣＰＵが処理を実行するためのプログラムやデータの格納領域等を含む。信号処理部１５１は、各家庭に設置される計測装置９１−１から送信される使用量データに基づき、水供給エリアにおける上水の水需要を示す第１の水需要データを生成する。また、信号処理部１５１は、各家庭に設置される計測装置９１−２から送信される使用量データに基づき、水供給エリアにおける中水の水需要を示す第２の水需要データを生成する。
【０１１２】
時間帯別料金制度が採用されている場合、信号処理部１５１は、過去のトレンド等に基づいて設定されている上水についての水単価から第１の水単価情報を生成し、生成した第１の水単価情報を各家庭に設置されている管理端末１０３へ送信する。また、信号処理部１５１は、過去のトレンド等に基づいて設定されている中水についての水単価から第２の水単価情報を生成し、生成した第２の水単価情報を管理端末１０３へ送信する。また、リアルタイムプライシング制度が採用されている場合、信号処理部１５１は、第１の水需要データに基づいて第１の水単価情報を生成し、生成した第１の水単価情報を管理端末１０３へ送信する。また、信号処理部１５１は、第２の水需要データに基づいて第２の水単価情報を生成し、生成した第２の水単価情報を管理端末１０３へ送信する。
【０１１３】
信号処理部１５１は、レーダ雨量計１４０により予測／実測される降雨エリア、降雨時刻及び降雨量を参照し、各取水ポイントにおける雨水の時間帯別の水質及び水量を推定する。信号処理部１５１は、各取水ポイントにおける雨水の時間帯別の水質及び水量の推定結果を参照し、降雨開始時から一定時間が経過したきれいな雨水を取水するように、取水ポンプ１１１−１を制御する。また、信号処理部１５１は、取水したきれいな雨水を滞水池１１０−１に貯留させるように、滞水池１１０−１に対して貯留制御を行う。また、信号処理部１５１は、汚れた雨水を滞水池１１０−２に貯留させるように、滞水池１１０−２に対して貯留制御を行う。
【０１１４】
信号処理部１５１は、センサ５１−１，５１−２から把握される貯水槽５０−１，５０−２の水量、センサ７２−１〜７２−４から把握される水源の水質及び水量、並びに、レーダ雨量計１４０により把握される気象情報を参照し、第１及び第２の水需要データにより示される水需要を満たしつつ、浄水場設備１１及び再生水設備１２における水処理コストが最小限となるように、浄水場設備１１及び再生水設備１２における河川水、井戸水、雨水及びきれいな排水の処理量を決定する。このとき、浄水場設備１１及び／又は再生水設備１２で処理される雨水の処理量は、滞水池１１０−１に貯留されるきれいな雨水も含めて決定される。信号処理部１５１は、決定した処理量を実現するように、取水ポンプ７１−１〜７１−４、制御装置１３、貯水槽５０−１，５０−２、滞水池１１０−１及び送水ポンプ１１１−２を制御する。
【０１１５】
信号処理部１５１は、下水処理場６０から送信される下水処理場６０の運転状況を参照し、下水処理場６０が雨水を処理する余裕があるか否かを判断する。余裕があると判断した場合、信号処理部１５１は、滞水池１１０−２に対して、貯留した雨水を下水処理場６０へ放出するように放出制御を実施する。
【０１１６】
以上のように、第１０の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減、平滑化させることが可能となるため、浄水場設備１１及び下水処理場６０の規模を従来よりも縮小することが可能となると共に、設備コストの低減、及び、処理場の運用コストの低減を図ることが可能となる。
【０１１７】
したがって、第１０の実施形態に係る水処理システムによれば、渇水時においても水量を確保でき、かつ、下水処理場における下水処理コストを低減することができる。
【０１１８】
また、第１０の実施形態に係る水処理システムでは、第８の実施形態に係る水処理システムで用いられるレーダ雨量計１２０よりも高性能な、フェーズドアレイ気象レーダを備えるレーダ雨量計１４０を備える。そして、監視制御装置１５０は、レーダ雨量計１４０で予測／実測される降雨エリア、降雨時刻及び降雨量に基づいて、きれいな雨水を取水するように、取水ポンプ１１１−１を制御するようにしている。これにより、監視制御装置１５０は、きれいな雨水をより効率的に滞水池１１０−１へ貯留することが可能となる。
【０１１９】
なお、第１０の実施形態では、滞水池１１０−１にきれいな雨水が貯留される場合を例に記載したが、きれいな雨水が貯留される滞水池は、滞水池１１０−１に限定される訳ではない。信号処理部１５１は、降雨エリアと滞水池との距離を考慮し、降雨エリアから最も近い滞水池にきれいな雨水を貯留するように、取水ポンプ１１１−１を制御するようにしても構わない。
【０１２０】
（第１１の実施形態）  
第８乃至第１０の実施形態に係る水処理システムでは、滞水池１１０は、降雨時には雨水を貯留し、降雨後に貯留している雨水を放出する。しかしながら、降雨による雨水の貯留／放出以外においては、滞水池１１０へ雨水の出入りはない。一方で、需要家からは汚れた排水が常に排出され、下水処理場６０は、排出される汚れた排水を処理する。
【０１２１】
ところで、需要家の水需要量及び排水量には傾向があることが分かっている。水需要量及び排水量の傾向は図２５に示す通りであり、一般的に、ピークが朝と夜とに２回ある。本実施形態では、滞水池に余裕がある場合、滞水池にきれいな排水及び汚れた排水を貯留することで、需要家から排出される排水の排水量をフラット化することが可能な水処理システムについて説明する。
【０１２２】
図２６は、第１１の実施形態に係る水処理システムの構成を示す図である。図２６に示す水処理システムは、水処理設備７０、貯水槽５０−１，５０−２、水量センサ８１−１，８１−２、計測装置９１−１，９１−２、管理端末１０３、滞水池１６０，１７０、レーダ雨量計１４０及び監視制御装置１８０を備える。
【０１２３】
滞水池１６０には、取水ポンプ１６１−１及び送水ポンプ１６１−２が設けられる。取水ポンプ１６１−１は、監視制御装置１８０からの制御に従い、きれいな排水を取水する。送水ポンプ１６１−２は、監視制御装置１８０からの制御に従い、滞水池１６０から放出されるきれいな排水を浄水場設備１１及び／又は再生水設備１２へ送水する。
【０１２４】
滞水池１６０は、取水ポンプ１６１−１により取水されるきれいな排水を、監視制御装置１８０からの貯留制御に従って貯留する。滞水池１６０は、監視制御装置１８０からの放出制御に従い、貯留するきれいな排水を浄水場設備１１及び／又は再生水設備１２へ放出する。
【０１２５】
滞水池１７０には、取水ポンプ１７１−１及び送水ポンプ１７１−２が設けられる。取水ポンプ１７１−１は、監視制御装置１８０からの制御に従い、汚れた排水を取水する。送水ポンプ１７１−２は、監視制御装置１８０からの制御に従い、滞水池１７０から放出される汚れた排水を下水処理場６０へ送水する。
【０１２６】
滞水池１７０は、取水ポンプ１７１−１により取水される汚れた排水を、監視制御装置１８０からの貯留制御に従って貯留する。滞水池１７０は、監視制御装置１８０からの放出制御に従い、貯留する汚れた排水を下水処理場６０へ放出する。
【０１２７】
監視制御装置１８０は、例えば、複数のサーバから構築されるクラウドサーバである。監視制御装置１８０は、水処理設備７０、センサ８１−１，８１−２、貯水槽５０−１，５０−２、家庭、下水処理場６０、滞水池１６０，１７０及びレーダ雨量計１４０とインターネット等のネットワークにより接続される。監視制御装置１８０は、センサ７２−１〜７２−４から送信される水質データ及び水量データ、センサ５１−１，５１−２から送信される水量データ、センサ８１−１，８１−２から送信される水量データ、下水処理場６０から送信される運転状況、計測装置９１−１，９１−２から送信される使用量データ、並びに、レーダ雨量計１４０から送信される観測データを受信する。
【０１２８】
監視制御装置１８０は、図２７に示すように、信号処理部１８１を備える。信号処理部１８１は、例えば、ＣＰＵ、並びに、ＲＯＭ及びＲＡＭ等のＣＰＵが処理を実行するためのプログラムやデータの格納領域等を含む。信号処理部１８１は、各家庭に設置される計測装置９１−１から送信される使用量データに基づき、水供給エリアにおける上水の水需要を示す第１の水需要データを生成する。また、信号処理部１８１は、各家庭に設置される計測装置９１−２から送信される使用量データに基づき、水供給エリアにおける中水の水需要を示す第２の水需要データを生成する。
【０１２９】
時間帯別料金制度が採用されている場合、信号処理部１８１は、過去のトレンド等に基づいて設定されている上水についての水単価から第１の水単価情報を生成し、生成した第１の水単価情報を各家庭に設置されている管理端末１０３へ送信する。また、信号処理部１８１は、過去のトレンド等に基づいて設定されている中水についての水単価から第２の水単価情報を生成し、生成した第２の水単価情報を管理端末１０３へ送信する。また、リアルタイムプライシング制度が採用されている場合、信号処理部１８１は、第１の水需要データに基づいて第１の水単価情報を生成し、生成した第１の水単価情報を管理端末１０３へ送信する。また、信号処理部１８１は、第２の水需要データに基づいて第２の水単価情報を生成し、生成した第２の水単価情報を管理端末１０３へ送信する。
【０１３０】
信号処理部１８１は、レーダ雨量計１４０により予測／実測される降雨エリア、降雨時刻及び降雨量を参照し、滞水池１６０に雨水が貯留されていないことを判断する。信号処理部１８１は、滞水池１６０に雨水が貯留されていないことを判断すると、家庭から排出されるきれいな排水を取水するように、取水ポンプ１６１−１を制御する。また、信号処理部１８１は、取水したきれいな排水を滞水池１６０に貯留させるように、滞水池１６０に対して貯留制御を行う。
【０１３１】
また、信号処理部１８１は、レーダ雨量計１４０により予測／実測される降雨エリア、降雨時刻及び降雨量を参照し、滞水池１７０に雨水が貯留されていないことを判断する。また、信号処理部１８１は、下水処理場６０から送信される運転状況を参照し、下水処理場６０における処理量がリミットであると判断する。信号処理部１８１は、滞水池１７０に雨水が貯留されておらず、かつ、下水処理場６０の処理量がリミットであることを判断すると、家庭から排出される汚れた排水を取水するように、取水ポンプ１７１−１を制御する。また、信号処理部１８１は、取水した汚れた排水を滞水池１７０に貯留させるように、滞水池１７０に対して貯留制御を行う。
【０１３２】
信号処理部１８１は、センサ５１−１，５１−２から把握される貯水槽５０−１，５０−２の水量、センサ７２−１〜７２−４から把握される水源の水質及び水量、並びに、レーダ雨量計１２０から把握される気象情報を参照し、第１及び第２の水需要データにより示される水需要を満たしつつ、浄水場設備１１及び再生水設備１２における水処理コストが最小限となるように、浄水場設備１１及び再生水設備１２における河川水、井戸水、雨水及びきれいな排水の処理量を決定する。このとき、浄水場設備１１及び／又は再生水設備１２で処理されるきれいな排水の処理量は、滞水池１６０に貯留されるきれいな排水も含めて決定される。信号処理部１８１は、決定した処理量を実現するように、取水ポンプ７１−１〜７１−４、制御装置１３、貯水槽５０−１，５０−２、滞水池１６０及び送水ポンプ１６１−２を制御する。
【０１３３】
信号処理部１８１は、下水処理場６０から送信される下水処理場６０の運転状況を参照し、下水処理場６０が汚れた排水を処理する余裕があるか否かを判断する。余裕があると判断した場合、信号処理部１８１は、滞水池１７０に対して、貯留した汚れた排水を下水処理場６０へ放出するように放出制御を実施する。また、信号処理部１８１は、滞水池１７０から放出された排水を下水処理場６０へ送水するように、送水ポンプ１７１−２を制御する。
【０１３４】
以上のように第１１の実施形態に係る水処理設備７０は、需要家により排出されるきれいな排水を再生水設備１２により再利用するようにしている。これにより、水を取水可能な水源が増えることになるため、河川の渇水時等においても水を供給することが可能となる。また、浄水場設備１１及び下水処理場６０での処理負荷を従来よりも低減、平滑化させることが可能となるため、浄水場設備１１及び下水処理場６０の規模を従来よりも縮小することが可能となると共に、設備コストの低減、及び、処理場の運用コストの低減を図ることが可能となる。
【０１３５】
したがって、第１１の実施形態に係る水処理システムによれば、渇水時においても水量を確保でき、かつ、下水処理場における下水処理コストを低減することができる。
【０１３６】
また、第１１の実施形態に係る水処理システムでは、滞水池１６０，１７０に雨水が貯留されていない場合、監視制御装置１８０は、きれいな排水及び汚れた排水を滞水池１６０，１７０へそれぞれ貯留させる。そして、監視制御装置１８０は、滞水池１６０に貯留されるきれいな排水を水処理設備７０の水源の一つとして扱うようにしている。これにより、水を取水可能な水源が増えることになるため、河川の渇水時等においても水を供給することが可能となる。
【０１３７】
また、監視制御装置１８０は、滞水池１７０に貯留される汚れた排水を、下水処理場６０に余裕ができた場合に、下水処理場６０へ放出させるようにしている。これにより、図２８に示すように、下水処理場６０から見た需要家から排出される汚れた排水の量をフラット化することが可能となる。このように、排水量をフラット化することが可能となるため、下水処理場６０の規模縮小、又は、設備コスト・運用コストの削減が可能となる。
【０１３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３９】
１０…水処理設備、１１…浄水場設備、１２…再生水設備、１３…制御装置、２０−１，２０−２…配水池、３０−１，３０−２…ポンプ、４０−１，４０−２…配水塔、５０−１，５０−２…貯水槽、５１−１，５１−２…センサ、６０…下水処理場、７１−１〜７１−４…取水ポンプ、７２−１〜７２−４…センサ、８０，９０，１００，１３０，１５０，１８０…監視制御装置、８１−１，８１−２…水量センサ、８２，９２，１０２，１０３１，１０４１，１０５１，１３１，１５１，１８１…信号処理部、９１−１，９１−２…計測装置、１０１，１０３，１０４，１０５…管理端末、１１０−１〜１１０−３…滞水池、１１１−１…取水ポンプ、１１１−２…送水ポンプ、１２０，１４０…レーダ雨量計、１６０，１７０…滞水池、１６１−１，１７１−１…取水ポンプ、１６１−２，１７１−２…送水ポンプ、２０１−１，２０１−２，２０２−１，２０２−２…バルブ
【図１】
2014214550.tif 000003
【図２】
2014214550.tif 000004
【図３】
2014214550.tif 000005
【図４】
2014214550.tif 000006
【図５】
2014214550.tif 000007
【図６】
2014214550.tif 000008
【図７】
2014214550.tif 000009
【図８】
2014214550.tif 000010
【図９】
2014214550.tif 000011
【図１０】
2014214550.tif 000012
【図１１】
2014214550.tif 000013
【図１２】
2014214550.tif 000014
【図１３】
2014214550.tif 000015
【図１４】
2014214550.tif 000016
【図１５】
2014214550.tif 000017
【図１６】
2014214550.tif 000018
【図１７】
2014214550.tif 000019
【図１８】
2014214550.tif 000020
【図１９】
2014214550.tif 000021
【図２０】
2014214550.tif 000022
【図２１】
2014214550.tif 000023
【図２２】
2014214550.tif 000024
【図２３】
2014214550.tif 000025
【図２４】
2014214550.tif 000026
【図２５】
2014214550.tif 000027
【図２６】
2014214550.tif 000028
【図２７】
2014214550.tif 000029
【図２８】
2014214550.tif 000030